(57)【特許請求の範囲】
【請求項１】
戸パネルにより開閉される開口部に設けられた枠体に対し、該枠体に固定された枠体固定部を有する枠体側支持部材と、前記戸パネルに固定された戸パネル固定部を有する戸パネル側支持部材とを備え、前記枠体側支持部材または前記戸パネル側支持部材の一方はピボットを有しており、かつ、他方は前記ピボットを回動自在に受け入れる軸受体を有している、ピボット蝶番の取付構造であって、
前記戸パネル固定部は、前記戸パネルの下端面に当接される水平板部と、前記水平板部の上面に立設された嵌合凸部とを有しており、
前記戸パネルの下端面には、前記嵌合凸部の少なくとも一部の水平断面形状と同じ水平断面形状を有し、かつ、前記嵌合凸部が嵌合される嵌合穴が形成され、
前記嵌合凸部は、前記水平板部に固定された固定ブロックと、前記戸パネルに固定された可動ブロックと、前記戸パネルの幅方向へ延びて配設され、前記固定ブロックまたは前記可動ブロックの一方に回転自在に係止され、前記固定ブロックまたは前記可動ブロックの他方に設けられた雌ねじに螺合された雄ねじ部材と、前記戸パネルの幅方向へ延びて配設され、前記固定ブロックと前記可動ブロックとに螺着された固定ねじとを有しており、
前記戸パネルの幅方向端面の一部を構成する前記嵌合穴の壁部には、前記雄ねじ部材を回転操作するための工具が挿通される貫通孔と、前記固定ねじを回転操作するための工具が挿通される貫通孔とが、前記戸パネルの幅方向端面から前記嵌合穴に至るように形成されていることを特徴とするピボット蝶番の取付構造。
【発明の詳細な説明】
【技術分野】
【０００１】
本発明は、住宅内の部屋または収納等の開口部を開閉する戸パネルを回動自在に支持するためのピボット蝶番の取付構造に関する。
【背景技術】
【０００２】
従来のピボット蝶番の取付構造の一例が特許文献１に開示されている。このピボット蝶番の取付構造１は、図１０および図１１に示すように、開口部２に設けられた枠体３に取り付けられた枠体側支持部材４と、戸パネル５に取り付けられた戸パネル側支持部材６とによって構成されている。
【０００３】
枠体側支持部材４は、枠体３に固定された枠体固定部４ａと、枠体固定部４ａの下部から水平方向へ延びて形成されたピボット支持部４ｂと、ピボット支持部４ｂの上面から上方へ突出して形成されたピボット４ｃとを有しており、枠体固定部４ａが固定ねじ７を用いて枠体３に固定されている。戸パネル側支持部材６は、戸パネル５の下端部に固定された戸パネル固定部６ａと、戸パネル固定部６ａの下部から水平方向へ延びて形成された軸受体支持部６ｂと、軸受体支持部６ｂの上面に取り付けられた軸受体６ｃとを有しており、軸受体支持部６ｂには、軸受体６ｃの内部空間と連通する貫通孔（図示省略）が形成されている。
【０００４】
そして、軸受体６ｃにピボット４ｃが下方から嵌入されており、戸パネル固定部６ａが戸パネル５の下端面５ａおよび幅方向端面５ｂの両方に開口された掘り込み部９に嵌入されており、戸パネル固定部６ａが２本の固定ねじ８を用いて戸パネル５に固定されている。
【特許文献１】特開２００６−２９１５４５号公報
【発明の開示】
【発明が解決しようとする課題】
【０００５】
従来のピボット蝶番の取付構造１（図１０）では、戸パネル５に形成された掘り込み部９が戸パネル５の下端面５ａおよび幅方向端面５ｂの両方に開口されていたため、戸パネル５の厚み方向において対向する堀り込み部９の２つの壁部９ａおよび９ｂにおいては、それらの下端部および一方側端部を隣接する「壁部」で補強することができなかった。そのため、戸パネル５の開閉動作を繰り返すと、図１１に示すように、戸パネル固定部６ａから壁部９ａおよび９ｂに作用する力によって壁部９ａおよび９ｂが外側へ変形され、戸パネル５の意匠性が損なわれるという問題があった。
【０００６】
また、壁部９ａおよび９ｂが外側へ変形されると、これらの内面と戸パネル固定部６ａの外面との間に隙間が生じるため、堀り込み部９の内部において戸パネル固定部６ａに「ガタツキ」が生じるおそれがあった。
【０００７】
それゆえに、本発明の主たる課題は、戸パネルの不所望な変形を防止することによって戸パネルの意匠性が損なわれるのを防止できるとともに、戸パネル固定部の「ガタツキ」を効果的に防止できる、ピボット蝶番の取付構造を提供することである。
【課題を解決するための手段】
【０００８】
請求項１に記載した発明は、「戸パネル１６により開閉される開口部１２に設けられた枠体１４に対し、該枠体１４に固定された枠体固定部３６を有する枠体側支持部材３２と、前記戸パネル１６に固定された戸パネル固定部４６を有する戸パネル側支持部材３４とを備え、前記枠体側支持部材３２または前記戸パネル側支持部材３４の一方はピボット４０を有しており、かつ、他方は前記ピボット４０を回動自在に受け入れる軸受体５０を有している、ピボット蝶番の取付構造１０であって、前記戸パネル固定部４６は、前記戸パネル１６の下端面に当接される水平板部５２と、前記水平板部５２の上面に立設された嵌合凸部１８とを有しており、前記戸パネル１６の下端面１６ａには、前記嵌合凸部１８の少なくとも一部の水平断面形状と同じ水平断面形状を有し、かつ、前記嵌合凸部１８が嵌合される嵌合穴２０が形成され、
前記嵌合凸部１８は、前記水平板部５２に固定された固定ブロック５８と、前記戸パネル１６に固定された可動ブロック６０と、前記戸パネル１６の幅方向へ延びて配設され、前記固定ブロック５８または前記可動ブロック６０の一方に回転自在に係止され、前記固定ブロック５８または前記可動ブロック６０の他方に設けられた雌ねじ６６に螺合された雄ねじ部材６２と、前記戸パネル１６の幅方向へ延びて配設され、前記固定ブロック５８と前記可動ブロック６０とに螺着された固定ねじ６８とを有しており、
前記戸パネル１６の幅方向端面１６ｂの一部を構成する前記嵌合穴２０の壁部２０ｃには、前記雄ねじ部材６２を回転操作するための工具２２が挿通される貫通孔２４ｂと、前記固定ねじ６８を回転操作するための工具２２が挿通される貫通孔２４ａとが、前記戸パネル１６の幅方向端面１６ｂから前記嵌合穴２０に至るように形成されていることを特徴とするピボット蝶番の取付構造１０」である。
【０００９】
本発明では、戸パネル１６の下端面１６ａに嵌合穴２０が形成されており、この嵌合穴２０に戸パネル固定部４６の嵌合凸部１８が嵌合されている。嵌合穴２０は、戸パネル１６の下端面１６ａにのみ開口された凹部（周囲が戸パネル１６の壁部２０ａ，２０ｂ，２０ｃで囲まれた状態）であり、戸パネル１６の幅方向端面１６ｂには開口されていない。したがって、戸パネル１６の厚み方向において対向する嵌合穴２０の２つの壁部２０ａ，２０ｂは、戸パネル１６の幅方向端面１６ｂの一部を構成する嵌合穴２０の壁部２０ｃによって補強されることになり、厚み方向において対向する２つの壁部２０ａ，２０ｂが不所望に変形されることはない。また、嵌合穴２０の水平断面形状は、嵌合凸部１８の少なくとも一部の水平断面形状と同じであるため、嵌合時には略同断面形状で凹凸対応し、この凹凸対応面間は水平方向での隙間が偏らず略均一となって嵌合されることになる。このため、凹凸対応面間では片当たりが発生し難くなり、嵌合穴２０の内部における嵌合凸部１８の「ガタツキ」は生じない。
【００１１】
また、本発明では、固定ブロック５８に対する可動ブロック６０の位置を雄ねじ部材６２と雌ねじ６６とで調整することができ、それによって枠体１４に対する戸パネル１６の位置を調整することができる。そして、戸パネル１６の位置調整が完了(図２参照)すると、下側の貫通孔２４ａから固定ねじ６８を挿入するとともに、工具２２を用いて固定ねじ６８をねじ孔７０および７２に螺合し、これにより固定ブロック５８に対する可動ブロック６０の動きを固定する。つまり、枠体１４に対する戸パネル１６の動きを固定することができる。
【発明の効果】
【００１２】
請求項１に記載した発明によれば、戸パネル１６の厚み方向において対向する嵌合穴２０の２つの壁部２０ａ，２０ｂが、戸パネル１６の幅方向端面１６ｂの一部を構成する嵌合穴２０の壁部２０ｃに連結されることによって補強されている。したがって、嵌合凸部１８から嵌合穴２０の壁部２０ａ，２０ｂの内面に力が作用した場合でも、当該２つの壁部２０ａ，２０ｂが補強された連結状態であるため外側へ向けて不所望に変形されるのを防止でき、戸パネル１６の意匠性が損なわれるのを防止できる。また、嵌合凸部１８の少なくとも一部の水平断面形状が嵌合穴２０の水平断面形状と同じであることと相俟って、嵌合穴２０の内部における嵌合凸部１８の「ガタツキ」を効果的に防止できる。
【００１３】
また、貫通孔２４ｂの一端が戸パネル１６の幅方向端面１６ｂに開口されているので、貫通孔２４ｂに工具２２を容易に挿通することができ、戸パネル１６の位置調整作業を容易に行うことができる。また、戸パネル１６の幅方向端面１６ｂに開口された貫通孔２４ｂは外部から目立ち難いため、戸パネル１６の意匠性が貫通孔２４ｂによって損なわれるのを防止できる。
【発明を実施するための最良の形態】
【００１４】
図１は、本発明が適用されたピボット蝶番の取付構造（以下、「取付構造」と略す。）１０を示す斜視図であり、図２は、取付構造１０の要部を示す断面図である。この取付構造１０は、住宅内の部屋または収納等の開口部１２に設けられた枠体１４に対して戸パネル１６を回動自在に取り付けるものである。
【００１５】
なお、図１および図２には、「前後」，「左右」の方向を示しているが、これらの方向は、以下の説明で用いる「前後」，「左右」の方向に対応するものである。
【００１６】
戸パネル１６は、開口部１２を閉塞可能な板状部材であり、戸パネル１６の幅方向一方端部における下端面１６ａには、図３に示すように、後述する嵌合凸部１８（図５）が嵌合される嵌合穴２０が形成されている。嵌合穴２０の水平断面形状は、嵌合凸部１８の少なくとも一部（上部ブロック６０ｂまたはケース（図示省略））の水平断面形状と同じであり、本実施例では、戸パネル１６の幅方向（前後方向）に長く延びた長円形である。
【００１７】
戸パネル１６の厚み方向（前後方向）において対向する嵌合穴２０の２つの壁部２０ａおよび２０ｂは、戸パネル１６の幅方向端面１６ｂの一部を構成する嵌合穴２０の壁部２０ｃによって連結され、かつ、補強されている。そして、この「補強機能」を有する壁部２０ｃには、図２に示すように、工具２２（図７）が挿通される２つの貫通孔２４ａおよび２４ｂと、固定ねじ２６がねじ込まれるねじ孔２８とが、戸パネル１６の幅方向端面１６ｂから嵌合穴２０の内面に至るように形成されている。
【００１８】
なお、戸パネル１６の構造としては、無垢材からなる「単板構造」や、戸枠の表裏両面に表面板材を接合した「フラッシュ構造」等を任意に選択して用いることができる。
【００１９】
枠体１４は、図１に示すように、開口部１２の内側縁に配設された「縦枠」であり、枠体１４の表面における幅方向中央部には、溝１４ａが上下方向へ延びて形成されており、この溝１４ａには、棒状の戸当り３０が取り付けられている。
【００２０】
取付構造１０は、図１に示すように、枠体１４に取り付けられた枠体側支持部材３２と、戸パネル１６の下端部に取り付けられた戸パネル側支持部材３４とによって構成されている。
【００２１】
枠体側支持部材３２は、図４に示すように、枠体固定部３６と、ピボット支持部３８と、ピボット４０とを有している。
【００２２】
枠体固定部３６は、「縦方向に長い四角形（長方形）」を基本形状とする板状部分であり、枠体固定部３６の下部の前後方向幅は、他の部分よりも広く設定されており、枠体固定部３６の上部における後側の角部は、斜め（略４５度）に傾斜して形成されている。また、枠体固定部３６には、固定ねじ４２（図１）が挿通される複数（本実施例では４個）の貫通孔４４が形成されている。
【００２３】
ピボット支持部３８は、図４に示すように、枠体固定部３６の下端部から水平方向に延びてこれと一体的に形成された板状部分であり、ピボット支持部３８の後端３８ａは、枠体固定部３６の前後方向幅内に位置しており、ピボット支持部３８の前端３８ｂは、枠体固定部３６の前端３６ｂよりも前方に位置している。そして、ピボット支持部３８の前端縁３８ｃは、ピボット４０と中心を共通にする半円状に形成されている。
【００２４】
ピボット４０は、図４に示すように、ピボット支持部３８の前端部上面から上方へ突出して形成された円柱状の突起部であり、ピボット４０の上端部は、上端４０ａへ向かうにつれて縮径する円錐台状に形成されている。
【００２５】
戸パネル側支持部材３４は、図５に示すように、戸パネル固定部４６と、軸受体支持部４８と、軸受体５０とを有している。
【００２６】
戸パネル固定部４６は、戸パネル１６の下端面に当接される水平板部５２と、水平板部５２の上面に立設され、かつ、戸パネル１６の嵌合穴２０（図３）に嵌合される嵌合凸部１８とによって構成されている。
【００２７】
水平板部５２は、戸パネル１６を下方から支持する板状部であり、水平板部５２の前後方向長さおよび左右方向長さは、水平板部５２が戸パネル１６の下端面からはみ出すことがなく、かつ、嵌合穴２０の開口部を完全に閉塞可能なように設定されている。そして、水平板部５２には、図２に示すように、固定ねじ５４が挿通される複数（本実施例では２個）の貫通孔５６が形成されている。
【００２８】
嵌合凸部１８は、図２および図５に示すように、水平板部５２に固定ねじ５４を用いて固定された固定ブロック５８と、戸パネル１６に固定ねじ２６（図２）を用いて固定された可動ブロック６０と、固定ブロック５８に回転自在に係止され、かつ、戸パネル１６の幅方向（左右方向）へ延びて配設された雄ねじ部材６２とを有している。
【００２９】
固定ブロック５８は、下部ブロック５８ａと、上部ブロック５８ｂと、これらを所定の間隔を隔てて連結する連結ブロック５８ｃとによって略コ字状に一体的に形成されたブロック部材である。そして、下部ブロック５８ａの下端面には、固定ねじ５４が螺合される複数（本実施例では２個）のねじ穴６４が形成されており、上部ブロック５８ｂには、雄ねじ部材６２が螺合される雌ねじ６６が形成されており、連結ブロック５８ｃには、貫通孔２４ａから挿入された固定ねじ６８が螺合されるねじ孔７０が形成されている。
【００３０】
可動ブロック６０は、下部ブロック６０ａと、上部ブロック６０ｂと、これらを所定の間隔を隔てて連結する連結ブロック６０ｃとによって略Ｆ字状に一体的に形成されたブロック部材であり、上部ブロック６０ｂの水平断面形状は、嵌合穴２０の水平断面形状と同じに設定されている。そして、下部ブロック６０ａの先端面には、固定ねじ６８が螺合されるねじ穴７２が形成されており、上部ブロック６０ｂの先端面には、固定ねじ２６が螺合されるねじ穴７４が形成されており、連結ブロック６０ｃには、雄ねじ部材６２が挿通される貫通孔７６と、雄ねじ部材６２の頭部６２ａが回転自在に係止される凹部７８とが連続して形成されている。
【００３１】
そして、「固定ブロック５８の下部ブロック５８ａ」、「可動ブロック６０の下部ブロック６０ａ」、「固定ブロック５８の上部ブロック５８ｂ」および「可動ブロック６０の上部ブロック６０ｂ」がこの順に重なるようにして、固定ブロック５８と可動ブロック６０とが組み合わされている。また、この組み合わせ状態において、固定ブロック５８の左側または右側の少なくとも一方には、固定ブロック５８に対して可動ブロック６０が移動するための空間Ｓが確保されている。
【００３２】
なお、ねじ孔２８，７０およびねじ穴６４，７２，７４は、固定ねじ２６，５４，６８がねじ込まれる箇所に予め形成されていてもよいし、固定ブロック５８および可動ブロック６０が「穴開けが容易な材料」で形成されている場合には、固定ねじ２６，５４，６８がねじ込まれる過程で形成されてもよい。
【００３３】
また、本実施例の嵌合凸部１８は、固定ブロック５８と、可動ブロック６０と、雄ねじ部材６２とを構成要素として有しているが、さらに、これらを収容するケース（図示省略）を構成要素として有していてもよい。この場合には、嵌合穴２０の内面とケースの外面とが対向するため、ケースの水平断面形状が嵌合穴２０の水平断面形状と同じに設定されることになる。
【００３４】
軸受体支持部４８は、図５に示すように、戸パネル固定部４６を構成する水平板部５２の左端部から後方へ延びてこれと一体的に形成された板状部であり、軸受体支持部４８の先端部には、ピボット４０が挿通される貫通孔４８ａが形成されており、軸受体支持部４８の先端縁４８ｂは、貫通孔４８ａと中心を共通にする半円状に形成されている。そして、軸受体支持部４８の先端部上面には、貫通孔４８ａと連続する内部空間５０ａを有する軸受体５０が取り付けられている。
【００３５】
軸受体５０は、その内部空間５０ａにピボット４０を回動自在に受け入れる円筒状の部材であり、軸受体５０の内径（内部空間５０ａの直径）は、ピボット４０の外径よりも僅かに大きく設定されており、軸受体５０の外径は、軸受体支持部４８における先端縁４８ｂの径とほぼ同じに設定されており、軸受体５０の高さは、ピボット４０の高さよりも高く設定されている。
【００３６】
取付構造１０を用いて枠体１４に戸パネル１６を回動自在に取り付ける際には、まず、図６に示すように、枠体１４の下端部に枠体側支持部材３２を取り付けるとともに、戸パネル１６の下端部に戸パネル側支持部材３４を取り付ける。また、枠体１４の上端部に「他の枠体側支持部材」（図示省略）を取り付けるとともに、戸パネル１６の上端部に「他の戸パネル側支持部材」（図示省略）を取り付ける。
【００３７】
枠体１４の下端部に枠体側支持部材３２を取り付ける際には、図６に示すように、ピボット４０を枠体１４の前端面１４ｂよりも前方に配置するとともに、ピボット支持部３８を床面Ｆに接触するように、或いは、床面Ｆから僅かに離間するように配置し、その状態で枠体固定部３６を枠体１４の表面に固定ねじ４２を用いて固定する。
【００３８】
戸パネル１６の下端部に戸パネル側支持部材３４を取り付ける際には、図２および図６に示すように、戸パネル側支持部材３４の嵌合凸部１８を戸パネル１６の嵌合穴２０に下方から嵌合するとともに、水平板部５２の上面を戸パネル１６の下端面１６ａに当接させ、その状態で戸パネル１６を可動ブロック６０に固定ねじ２６（図２）を用いて固定する。
【００３９】
枠体側支持部材３２および戸パネル側支持部材３４の取付けが完了すると、図６に示すように、軸受体５０をピボット４０に上方から被せることによって、戸パネル側支持部材３４と枠体側支持部材３２とを回動自在に連結する。また、このとき同時に、「他の枠体側支持部材」（図示省略）と「他の戸パネル側支持部材」（図示省略）とを回動自在に連結する。
【００４０】
続いて、図７に示すように、ドライバー等の工具２２を上側の貫通孔２４ｂから嵌合穴２０内に挿入し、この工具２２を用いて雄ねじ部材６２を回転させることによって、固定ブロック５８に対して可動ブロック６０を左右方向へ移動させ、枠体１４に対する戸パネル１６の位置を左右方向において調整する。
【００４１】
戸パネル１６の位置調整が完了すると、図２に示すように、下側の貫通孔２４ａから固定ねじ６８を挿入するとともに、工具２２を用いて固定ねじ６８をねじ孔７０および７２に螺合し、これにより固定ブロック５８に対する可動ブロック６０の動きを固定する。つまり、枠体１４に対する戸パネル１６の動きを固定する。
【００４２】
なお、本実施例では、図６に示すように、枠体側支持部材３２のピボット支持部３８に上方へ向けて凸となるピボット４０を形成するとともに、戸パネル側支持部材３４の軸受体支持部４８にピボット４０を下方から受け入れる軸受体５０を形成しているが、図８に示すように、枠体側支持部材３２の軸受体支持部４８にピボット４０を受け入れる軸受体５０を形成するとともに、戸パネル側支持部材３４のピボット支持部３８に下方へ向けて凸となるピボット４０を形成してもよい。
【００４３】
また、上述の各実施例では、戸パネル１６に固定された可動ブロック６０に雄ねじ部材６２を回転自在に係止させるとともに、固定ブロック５８に雄ねじ部材６２が螺合される雌ねじ６６を形成しているが、図９に示すように、固定ブロック５８に雄ねじ部材６２を回転自在に係止させるとともに、可動ブロック６０に雄ねじ部材６２が螺合される雌ねじ６６を形成してもよい。
【００４４】
図９に示した実施例において、固定ブロック５８は、左側ブロック５８ｄと、右側ブロック５８ｅと、これらを所定の間隔を隔てて連結する連結ブロック５８ｆとによって略凹字状に一体的に形成されている。そして、左側ブロック５８ｄに形成された貫通孔８０ａと右側ブロック５８ｅに形成された貫通孔８０ｂとの間に雄ねじ部材６２が架け渡されており、また、左側ブロック５８ｄおよび右側ブロック５８ｅに対して雄ねじ部材６２が回転自在に係止されている。一方、可動ブロック６０は、上部ブロック６０ｄと、中央部ブロック６０ｅとによって略逆凸字状に一体的に形成されており、上部ブロック６０ｄの水平断面形状は、嵌合穴２０の水平断面形状と同じに設定されており、中央部ブロック６０ｅには、雌ねじ６６が形成されている。そして、中央部ブロック６０ｅが固定ブロック５８の左側ブロック５８ｄと右側ブロック５８ｅとの間に配置されており、中央部ブロック６０ｅの雌ねじ６６に雄ねじ部材６２が螺合されている。この実施例においても、嵌合凸部１８がケース（図示省略）を有していてもよいことは言うまでもない。
【図面の簡単な説明】
【００４５】
【図１】ピボット蝶番の取付構造を示す斜視図
【図２】ピボット蝶番の取付構造の要部を示す断面図
【図３】戸パネルを示す斜視図
【図４】枠体側支持部材を示す斜視図
【図５】戸パネル側支持部材を示す斜視図
【図６】ピボット蝶番の取付構造を示す分解斜視図
【図７】枠体に対する戸パネルの位置調整方法を示す断面図
【図８】他の実施例（ピボットと軸受体との位置関係が逆）を示す分解斜視図
【図９】他の実施例（雄ねじ部材と雌ねじとの位置関係が逆）を示す断面図
【図１０】従来技術を示す分解斜視図
【図１１】従来技術において戸パネルが変形した状態を示す斜視図
【符号の説明】
【００４６】
１０…  取付構造
１２…  開口部
１４…  枠体
１６…  戸パネル
１８…  嵌合凸部
２０…  嵌合穴
２４ａ，２４ｂ…  貫通孔
２６，４２，５４，６８…  固定ねじ
２８，７０…  ねじ孔
３０…  戸当り
３２…  枠体側支持部材
３４…  戸パネル側支持部材
３６…  枠体固定部
３８…  ピボット支持部
４０…  ピボット
Ｆ…  床面
４６…  戸パネル固定部
４８…  軸受体支持部
５０…  軸受体
５２…  水平板部
５６，７６…  貫通孔
５８…  固定ブロック
６０…  可動ブロック
６２…  雄ねじ部材
６４，７２，７４…  ねじ穴
６６…  雌ねじ
７８…  凹部
【図１】
0005236272.tif 000002
【図２】
0005236272.tif 000003
【図３】
0005236272.tif 000004
【図４】
0005236272.tif 000005
【図５】
0005236272.tif 000006
【図６】
0005236272.tif 000007
【図７】
0005236272.tif 000008
【図８】
0005236272.tif 000009
【図９】
0005236272.tif 000010
【図１０】
0005236272.tif 000011
【図１１】
0005236272.tif 000012